(57)【要約】【課題】  携帯情報端末を使用するときは操作し易い任意の位置に固定でき、携帯情報端末を使用しないときは上腕側で固定でき手を自由に使用することができ、携帯情報端末を片手でも操作しやすくすることができる携帯情報端末保持具を提供することにある。【解決手段】  携帯情報端末を保持する端末保持部と、伸縮自在の棒状で、一端が端末保持部を接続支持する伸延部と、伸延部を腕に装着し保持させる腕装着部とを備え、携帯情報端末を、手のひら又は手の甲の位置と手首付近又は腕との間を移動可能に、腕に保持させることを特徴とする。【選択図】図１
2018014612.tif 000002
【特許請求の範囲】
【請求項１】
携帯情報端末を、腕に装着し保持させるための携帯情報端末保持具において、
該携帯情報端末を保持する端末保持部と、
伸縮自在の棒状で、一端が該端末保持部を接続支持する伸延部と、
該伸延部を腕に装着し保持させる腕装着部とを備え、
該携帯情報端末を、手のひら又は手の甲の位置と手首付近又は腕との間を移動可能に、該腕に保持させることを特徴とする携帯情報端末保持具。
【請求項２】
前記伸延部が、前記腕装着部に固定されたハウジングと、該ハウジングに出没可能に設けられた棒状の先端部材とからなり、該先端部材の突出端で前記端末保持部を支持することを特徴とする請求項１記載の携帯情報端末保持具。
【請求項３】
前記先端部材の外周を圧迫することで、前記ハウジング内での該先端部材の摺動を抑止するロック機構を有することを特徴とする請求項２記載の携帯情報端末保持具。
【請求項４】
前記伸延部が、該ハウジングに出没可能に設けられたシリンダを有し、前記先端部材が、該シリンダに出没可能に設けられたことを特徴とする請求項２記載の携帯情報端末保持具。
【請求項５】
前記先端部材又は及び前記シリンダの外周を圧迫することで、前記ハウジング内での該先端部材又は及び該シリンダの摺動を抑止するロック機構を有することを特徴とする請求項４記載の携帯情報端末保持具。
【請求項６】
前記先端部材が、突出した状態で湾曲可能であり、該先端部材の突出端で前記端末保持部を支持することを特徴とする請求項２〜請求項５のいずれかに記載の携帯情報端末保持具。
【請求項７】
前記先端部材の突出端を、前記ハウジングの内部で係止する係止機構を有することを特徴とする請求項２〜請求項６のいずれかに記載の携帯情報端末保持具。
【請求項８】
前記端末保持部が、前記伸延部の延伸軸と同軸方向で該伸延部に旋回自在に設けられていることを特徴とする請求項１〜請求項７のいずれかに記載の携帯情報端末保持具。
【請求項９】
前記端末保持部が、前記伸延部に揺動自在に設けられていることを特徴とする請求項１〜請求項８のいずれかに記載の携帯情報端末保持具。
【請求項１０】
前記端末保持部が、前記伸延部の延伸軸に略垂直な回転軸で該伸延部に回動自在に設けられていることを特徴とする請求項１〜請求項９のいずれかに記載の携帯情報端末保持具。
【請求項１１】
前記伸延部が、前記腕装着部に揺動自在に設けられていることを特徴とする請求項１〜請求項１０のいずれかに記載の携帯情報端末保持具。
【請求項１２】
前記端末保持部に対する前記伸延部の接続位置を可変可能な摺動構造を有することを特徴とする請求項１〜請求項１１のいずれかに記載の携帯情報端末保持具。
【請求項１３】
前記摺動構造として、前記伸延部の前記端末保持部との接続部に、板状で側面が嵌合凹凸を設けるスライダと、該端末保持部に、該スライダの嵌合凹凸に嵌合する係止凹凸を設けるプッシュストッパと、該プッシュストッパに、該係止凹凸を該嵌合凹凸に係止させるように、該プッシュストッパを該スライダの方向に付勢する付勢部材を有し、
該プッシュストッパが該スライダの方向に付勢されることにより、該嵌合凹凸に該係止凹凸が係止されて該スライダが該端末保持部に固定され、
該プッシュストッパを該付勢に抗して該嵌合凹凸から該係止凹凸を離脱させると、該スライダが該端末保持部に対して摺動自在になることを特徴とする請求項１２記載の携帯情報端末保持具。
【発明の詳細な説明】
【技術分野】
【０００１】
本発明は、携帯情報端末を、腕に装着し保持させるための携帯情報端末保持具に関する。
【背景技術】
【０００２】
従来より、スマートフォンやデジタル音楽端末等の携帯情報端末を、腕に装着させるための保持具（携帯情報端末保持具）が提案されている。
【０００３】
例えば、特許文献１の携帯情報端末機携行保持具がある。この携帯情報端末機携行保持具は、携帯情報端末機を収納する保護ケース体と、保護ケース体を保持する固定バンドとで構成され、保護ケース体が、開閉ならびに着脱自在に設けられる透明板で形成される保護カバーと、固定バンドに回転自在に連結される回転連結部と、回転連結部をスライドさせるスライド連結部とを有しており、固定バンドが、スライド連結部を連結するスライド受部を形成し、両端が互いに締め付け固定される締付け固定部を有しており、携帯情報端末機を保護ケース体に収納した状態で回転させて使用するものである。
【先行技術文献】
【特許文献】
【０００４】
【特許文献１】特開２０１４−２３１４１号公報
【発明の概要】
【発明が解決しようとする課題】
【０００５】
しかしながら、従来の携帯情報端末保持具によれば、携帯情報端末が手首の位置に固定され、操作しやすい位置で操作することができないという問題があった。
【０００６】
本発明は、このような事情に鑑みてなされたもので、携帯情報端末を使用するときは操作し易い任意の位置に固定でき、携帯情報端末を使用しないときは上腕側で固定でき手を自由に使用することができ、携帯情報端末を片手でも操作しやすくすることができる携帯情報端末保持具を提供することにある。
【課題を解決するための手段】
【０００７】
請求項１記載の携帯情報端末保持具は、携帯情報端末を保持する端末保持部と、伸縮自在の棒状で、一端が端末保持部を接続支持する伸延部と、伸延部を腕に装着し保持させる腕装着部とを備え、携帯情報端末を、手のひら又は手の甲の位置と手首付近又は腕との間を移動可能に、腕に保持させることを特徴とする。
【０００８】
請求項２記載の携帯情報端末保持具は、伸延部が、腕装着部に固定されたハウジングと、ハウジングに出没可能に設けられた棒状の先端部材とからなり、先端部材の突出端で端末保持部を支持することを特徴とする。
【０００９】
請求項３記載の携帯情報端末保持具は、先端部材の外周を圧迫することで、ハウジング内での先端部材の摺動を抑止するロック機構を有することを特徴とする。
【００１０】
請求項４記載の携帯情報端末保持具は、伸延部が、ハウジングに出没可能に設けられたシリンダを有し、先端部材が、シリンダに出没可能に設けられたことを特徴とする。
【００１１】
請求項５記載の携帯情報端末保持具は、先端部材又は及びシリンダの外周を圧迫することで、ハウジング内での先端部材又は及びシリンダの摺動を抑止するロック機構を有することを特徴とする。
【００１２】
請求項６記載の携帯情報端末保持具は、先端部材が、突出した状態で湾曲可能であり、先端部材の突出端で端末保持部を支持することを特徴とする。
【００１３】
請求項７記載の携帯情報端末保持具は、先端部材の突出端を、ハウジングの内部で係止する係止機構を有することを特徴とする。
【００１４】
請求項８記載の携帯情報端末保持具は、端末保持部が、伸延部の延伸軸と同軸方向で伸延部に旋回自在に設けられていることを特徴とする。
【００１５】
請求項９記載の携帯情報端末保持具は、端末保持部が、伸延部に揺動自在に設けられていることを特徴とする。
【００１６】
請求項１０記載の携帯情報端末保持具は、端末保持部が、伸延部の延伸軸に略垂直な回転軸で伸延部に回動自在に設けられていることを特徴とする。
【００１７】
請求項１１記載の携帯情報端末保持具は、伸延部が、腕装着部に揺動自在に設けられていることを特徴とする。
【００１８】
請求項１２記載の携帯情報端末保持具は、端末保持部に対する伸延部の接続位置を可変可能な摺動構造を有することを特徴とする。
【００１９】
請求項１３記載の携帯情報端末保持具は、摺動構造として、伸延部の端末保持部との接続部に、板状で側面が嵌合凹凸を設けるスライダと、端末保持部に、スライダの嵌合凹凸に嵌合する係止凹凸を設けるプッシュストッパと、プッシュストッパに、係止凹凸を嵌合凹凸に係止させるように、プッシュストッパをスライダの方向に付勢する付勢部材を有し、プッシュストッパがスライダの方向に付勢されることにより、嵌合凹凸に係止凹凸が係止されてスライダが端末保持部に固定され、プッシュストッパを付勢に抗して嵌合凹凸から係止凹凸を離脱させると、スライダが端末保持部に対して摺動自在になることを特徴とする。
【発明の効果】
【００２０】
本願の発明によれば、携帯情報端末を使用するときは操作し易い任意の位置に固定でき、携帯情報端末を使用しないときは上腕側で固定でき手を自由に使用することができ、携帯情報端末を片手でも操作しやすくすることができる。
【図面の簡単な説明】
【００２１】
【図１】本発明に係る携帯情報端末保持具の一例を示す説明図である。
【図２】同携帯情報端末保持具の端末保持部の一例を示す説明図である。
【図３】同携帯情報端末保持具の使用例を示す説明図である。
【図４】同携帯情報端末保持具の延伸状態での断面を示す説明図である。
【図５】同携帯情報端末保持具の延伸状態での拡大断面を示す説明図である。
【図６】同携帯情報端末保持具の縮小状態での断面を示す説明図である。
【図７】同携帯情報端末保持具の延伸状態での主に先端部材を示す説明図である。
【図８】同携帯情報端末保持具の縮小状態での主に先端部材を示す説明図である。
【図９】同携帯情報端末保持具のロック機構を示す説明図である。
【図１０】同携帯情報端末保持具のロック機構の動作を示す説明図である。
【図１１】同携帯情報端末保持具の端末保持部の摺動構造を示す説明図である。
【図１２】同携帯情報端末保持具の端末保持部の摺動構造の動作を示す説明図である。
【図１３】同携帯情報端末保持具の先端部材の係止構造の動作を示す説明図である。
【図１４】同携帯情報端末保持具の端末保持部の動作を示す説明図である。
【図１５】同携帯情報端末保持具の端末保持部の動作を示す説明図である。
【発明を実施するための形態】
【００２２】
以下、本発明の形態について図面を参照しながら具体的に説明する。図１は、本発明に係る携帯情報端末保持具の一例を示す説明図である。図２は、同携帯情報端末保持具の端末保持部の一例を示す説明図である。図３は、同携帯情報端末保持具の使用例を示す説明図である。図４は、同携帯情報端末保持具の延伸状態での断面を示す説明図である。図５は、同携帯情報端末保持具の延伸状態での拡大断面を示す説明図である。図６は、同携帯情報端末保持具の縮小状態での断面を示す説明図である。図７は、同携帯情報端末保持具の延伸状態での主に先端部材を示す説明図である。図８は、同携帯情報端末保持具の縮小状態での主に先端部材を示す説明図である。図９は、同携帯情報端末保持具のロック機構を示す説明図である。図１０は、同携帯情報端末保持具のロック機構の動作を示す説明図である。図１１は、同携帯情報端末保持具の端末保持部の摺動構造を示す説明図である。図１２は、同携帯情報端末保持具の端末保持部の摺動構造の動作を示す説明図である。図１３は、同携帯情報端末保持具の先端部材の係止構造の動作を示す説明図である。図１４は、同携帯情報端末保持具の端末保持部の動作を示す説明図である。図１５は、同携帯情報端末保持具の端末保持部の動作を示す説明図である。
【００２３】
本発明に係る携帯情報端末保持具１は、携帯情報端末５を、腕Ａに装着し保持させるためのものである。携帯情報端末５は、例えばスマートフォンやタブレット端末やデジタル音楽プレーヤ等の機器で、何らかの情報が画面で表示されるような板状の電子機器であるが、必ずしもそれに限られるものではない。
【００２４】
携帯情報端末保持具１は、端末保持部７０と伸延部２０と腕装着部１０から構成されている。腕装着部１０は、後述する伸延部２０を腕Ａに装着し保持させるためのもので、本実施の形態では、手首Ｗ部分に嵌める略Ｃ字状のリスト装着部１２と、腕Ａ部分に嵌める略Ｃ字状のアーム装着部１４とからなる。そして、前後のリスト装着部１２とアーム装着部１４に架け渡されるように、腕装着部１０に伸延部２０が接続固定されている。尚、本実施の形態の携帯情報端末保持具１の腕装着部１０は、リスト装着部１２とアーム装着部１４の２つで構成していて、２つである方が携帯情報端末５の固定が安定するが、必ずしも２つである必要はなく、数は任意である。また、リスト装着部１２とアーム装着部１４の形状が、共に略Ｃ字状であるが、腕Ａや手首Ｗに回し止めるバンド状でもよく、その形状によって制限されるものではない。
【００２５】
伸延部２０は、全体として伸縮自在の棒状であり、一端が後述する端末保持部７０を接続支持するものである。本実施の形態の伸延部２０は、ハウジング２２とシリンダ３０と先端部材４０等から構成されている。ハウジング２２は、筒状で、先端開口２２ａ付近がリスト装着部１２に接続固定され、後端開口２２ｂ付近がアーム装着部１４に接続固定されている。リスト装着部１２とハウジング２２は、図９に示すように、リスト装着部１２の接続部１２ａとハウジング２２の接続部２２ｈとが揺動自在に軸支されることで接続されている。
【００２６】
また、アーム装着部１４とハウジング２２も、図９に示すように、アーム装着部１４の接続部１４ａとハウジング２２の接続部２２ｇとが揺動自在に軸支されることで接続されている。ハウジング２２を、リスト装着部１２及びアーム装着部１４とそれぞれ揺動自在に接続する必要は必ずしもないが、伸延部２０が、腕装着部１０に揺動自在に設けられることで、携帯情報端末保持具１自体を、腕Ａ（手首Ｗ）に嵌めることが容易になったり、携帯情報端末保持具１が、腕Ａ（手首Ｗ）に嵌められた状態で携帯情報端末５を操作したときに、多少でも伸延部２０が揺動することで、腕Ａ（手首Ｗ）への負担を軽減することができる。
【００２７】
伸延部２０は、伸縮自在で、一端に後述する端末保持部７０を接続支持し、端末保持部７０に保持された携帯情報端末５を、携帯情報端末保持具１を介して、手のひらＨ又は手の甲の位置と手首Ｗ付近又は腕Ａとの間を移動可能に、腕Ａ（手首Ｗ）に保持させることが可能である。
【００２８】
本実施の形態の伸延部２０は、図４〜図６に示すように、筒状のハウジング２２に出没可能に設けられた同じく筒状のシリンダ３０を有し、棒状の先端部材４０が、シリンダ３０に出没可能に設けられている。より具体的には、まず、ハウジング２２の後端開口２２ｂには、後端キャップ２６が装着されて塞がれており、この後端キャップ２６のシリンダ３０の内周側のシリンダ３０の軸に沿って、細棒状の誘導棒２６ａが伸びている。そして、その誘導棒２６ａの直近の周囲の全長以上に伸びるスプリング２８が装着されている。このスプリング２８の後端は、後端キャップ２６に当接しており、前端は、後述する先端部材４０のピストン４２に当接している。また、後端キャップ２６のスプリング２８の外周には、ハウジング２２の後端開口２２ｂの付近に留まる長さでスプリング２８よりも大径のスプリング４４が設けられている。
【００２９】
そして、ハウジング２２の内周２２ｄに、シリンダ３０が出没可能に挿入されている。具体的には、シリンダ３０は、内周３０ｄに後端キャップ２６の誘導棒２６ａとスプリング２８が挿入された状態で、ハウジング２２の内周２２ｄで摺動可能に挿入されている。シリンダ３０の先端部３０ａは、後述する先端部材４０が出没可能な径に縮径され、後端部３０ｂは、外周３０ｃの方向に突出している。そして、シリンダ３０が、一番突出して延伸した状態では、後端部３０ｂが後述するスライドストッパ６２に係止されて、ハウジング２２から抜け落ちないようになっている。また、シリンダ３０が、一番内挿されて縮小した状態では、後端部３０ｂが、スプリング４４に当接して止まるようになっている（図６参照）。
【００３０】
さらに、シリンダ３０の内周３０ｄに、先端部材４０が出没可能に挿入されている。具体的には、先端部材４０は、棒材で、突出端で端末保持部７０を支持する。また、先端部材４０は、シリンダ３０から突出した状態で湾曲可能な弾性を有し、例えば、本実施の形態で各図に示すような、硬めのスプリング形状のものがある。先端部材４０は、湾曲してもすぐに元の形状に戻るものでも、フレキシブルに湾曲形状を変えられるようなものであってもよい。尚、先端部材４０は、棒状であれば、必ずしも湾曲する材質である必要はない。
【００３１】
先端部材４０は、後端部４０ｂにピストン４２が装着された状態で、シリンダ３０の内周３０ｄに摺動可能に挿入されている。尚、ピストン４２が、シリンダ３０の先端部３０ａの孔より大きいので、先端部材４０がシリンダ３０から抜け落ちることはない。先端部材４０は、ピストン４２がスプリング２８で、延伸する向きに付勢されているため、通常は、シリンダ３０から一番突出して延伸した状態になっている。尚、先端部材４０のピストン４２が、シリンダ３０の先端部３０ａに係止された状態で付勢されているので、シリンダ３０自体もハウジング２２から一番突出して延伸した状態に付勢されている。先端部材４０は、一番内挿されて縮小した状態ではシリンダ３０に納まり、また、シリンダ自体がハウジング２２に納まることで、先端部材４０もハウジング２２に納まった状態になる（図６参照）。
【００３２】
先端部材４０の先端部４０ａには、円筒状の先端部材キャップ５０が設けられ、その先端方向の周囲に略円筒状のボールキャップ５４が設けられている。ボールキャップ５４の先端側は、後述する端末保持部７０のスライダ７４から突出して設けられた球状のスライダボール７６が挿入可能な穴径で、且つ、スライダボール７６よりも小径の孔がボールキャップ５４の側方に設けられている。そして、ボールキャップ５４にスライダボール７６が挿入された状態で、スプリング５８で押圧された状態で、ボールキャップ５４の先端側がキャップ５６で塞がれている。
【００３３】
尚、本実施の形態では、伸延部２０が、ハウジング２２とシリンダ３０と先端部材４０の３段で伸縮可能に設けられているように記載しているが、例えば、ハウジング２２と先端部材４０として２段にすることも可能であり、段数によって制限されるものではない。
【００３４】
端末保持部７０は、板状の保持プレート７２の周囲に、携帯情報端末５を収納して保持可能な外周突起７２ｂを有している。端末保持部７０の保持プレート７２の裏面には、板状のスライダ７４が設けられ、スライダ７４の裏面側から突出してスライダボール７６が設けられている。そして、スライダボール７６が、先端部材４０のボールキャップ５４に保持されることで、先端部材４０が、突出端で端末保持部７０を支持するようになっている。尚、端末保持部７０の形状や携帯情報端末５を保持する仕組みは、本実施の形態に示すものに限定されるものではない。
【００３５】
このように、携帯情報端末５を保持する端末保持部７０を接続支持する伸延部２０は、伸延部２０の伸縮を規制するロック機構及び係止機構を有している。ロック機構は、シリンダ３０の外周を圧迫することで、ハウジング２２内でのシリンダ３０の摺動を抑止するもので、先端部材の外周を直接又は間接的に圧迫して、先端部材４０の摺動を抑止するようにしてもよい。
【００３６】
ロック機構は、具体的には、本実施の形態では、図９及び図１０に示すような構造を採用しているが、この構造に限定されるものではない。本実施の形態に示すロック機構は、ストップレバー６０やスライドストッパ６２からなる。ストップレバー６０は、ハウジング２２の外周２２ｃに沿う形状の板材であるレバー部６０ａと、レバー部６０ａをハウジング２２から起立するように揺動自在に固定する軸ホールド部６０ｂとからなる。また、スライドストッパ６２は、略環状で、左右に螺旋形状の突起である軸部６２ａを有し、シリンダ３０の外周３０ｃに被せられていると共に、軸部６２ａが、ハウジング２２の両側面に軸方向に穿設された側面スリット２２ｅから外周２２ｃに突出するように設けられている。そして、スライドストッパ６２の軸部６２ａにストップレバー６０の軸ホールド部６０ｂが被せられている。
【００３７】
そして、ストップレバー６０が、ハウジング２２の外周２２ｃから立ち上がっている状態（図９及び図１０を参照）では、スライドストッパ６２に応力が掛からないので、シリンダ３０の外周３０ｃが、スライドストッパ６２によって圧迫され、シリンダ３０は、自由に摺動することができる。しかし、ストップレバー６０が、ハウジング２２の外周２２ｃに沿っている状態では、軸ホールド部６０ｂの回転により、スライドストッパ６２の軸部６２ａがねじられてスライドストッパ６２に応力が掛かるので、シリンダ３０の外周３０ｃが、スライドストッパ６２によって圧迫され、シリンダ３０は、自由に摺動することができなくなる。
【００３８】
尚、ストップレバー６０が、ハウジング２２の外周２２ｃから立ち上がっている状態（図９及び図１０を参照）では、軸ホールド部６０ｂがハウジング２２の外周２２ｃを圧迫せず、スライドストッパ６２を側面スリット２２ｅに沿って移動させることができ、シリンダ３０の位置を調整することもできるようになる。
【００３９】
図９及び図１０の例では、スライドストッパ６２がシリンダ３０を圧迫するようになっているが、先端部材４０の外周４０ｃを圧迫したり、また、そもそもシリンダ３０がなく２段の場合には、スライドストッパ６２が先端部材４０の外周４０ｃを圧迫して、先端部材４０の摺動を抑止することになる。
【００４０】
また、本実施の形態の携帯情報端末保持具１では、先端部材４０の突出端を、ハウジング２２の内部で係止する係止機構を有している。すなわち、先端部材４０がハウジング２２の内周２２ｄに納められた状態で、先端部材４０がハウジング２２から突出しないように固定する機構を有している。具体的には、先端部材４０の突出端すなわち先端部４０ａに設けられたボールキャップ５４の外周に、円環状で外周の突起を有してする回転ストッパ５２が、回動自在に設けられている。
【００４１】
他方、図１３に示すように、ハウジング２２の先端開口２２ａの内周２２ｄに、ハウジング２２の内側に突出し、軸方向に螺旋状に傾斜する係止突起２２ｋが設けられている。そして、先端部材４０がハウジング２２の内周２２ｄに納められていき、ボールキャップ５４が、ハウジング２２の先端開口２２ａに入ると、回転ストッパ５２が、係止突起２２ｋの螺旋状の傾斜に当接しつつ回転し、最終的には、回転ストッパ５２の突起が、係止突起２２ｋの下端に当接して係止され、先端部材４０がハウジング２２の内部で係止される。
【００４２】
また、本実施の形態の携帯情報端末保持具１では、端末保持部７０に対する伸延部２０の接続位置を可変可能な摺動構造を有している。具体的には、図１１及び図１２に示すように、まず、スライダ７４は、伸延部２０の端末保持部７０との接続部に設けられ、板状で側面に嵌合凹凸７４ａ，７４ｂが設けられている。そして、端末保持部７０に、スライダ７４の嵌合凹凸７４ａ，７４ｂに嵌合する係止凹凸８０ｂ、８４ｂを有するプッシュストッパ８０，８４を設けている。
【００４３】
より具体的には、プッシュストッパ８０，８４は、それぞれ略ト字状で、互いに横に伸びる片を重ね合わすように向き合い、略Ｈ状をなしている。そして、横に伸びる片の端部であるプッシュ部８０ａ，８４ａが、反対側のプッシュストッパ８０，８４から突出している。また、プッシュストッパ８０，８４が互いに向き合う片には、係止凹凸８０ｂ、８４ｂが設けられている。プッシュストッパ８０，８４は、それぞれ、端末保持部７０の保持プレート７２の裏面７２ａの左右に縦長に設けられたプッシュストッパカバー７２ｃ，７２ｄに納められ、係止凹凸８０ｂ、８４ｂがプッシュストッパカバー７２ｃ，７２ｄの内側に突出し、プッシュ部８０ａ，８４ａがプッシュストッパカバー７２ｃ，７２ｄの外側に突出ししている。
【００４４】
また、プッシュストッパ８０，８４の係止凹凸８０ｂ、８４ｂと逆の側には、プッシュストッパカバー７２ｃ，７２ｄの壁の間に、付勢部材であるバネ材８２が設けられ、プッシュストッパ８０，８４を、係止凹凸８０ｂ、８４ｂが嵌合凹凸７４ａ，７４ｂに係止されるように、スライダ７４の方向に付勢している。プッシュストッパ８０，８４がスライダ７４の方向に付勢されることにより、図１２（ａ）に示されるように、嵌合凹凸７４ａ，７４ｂに係止凹凸８０ｂ、８４ｂが係止されてスライダ７４が端末保持部７０に固定される。そして、プッシュストッパ８０，８４のプッシュ部８０ａ，８４ａを押し込むと、図１２（ｂ）に示されるように、プッシュストッパ８０，８４が付勢に抗して移動し、嵌合凹凸７４ａ，７４ｂから係止凹凸８０ｂ，８４ｂが離脱し、スライダ７４がプッシュストッパ８０，８４すなわち端末保持部７０に対して摺動自在になる。
【００４５】
以上のような構造の携帯情報端末保持具１の使用方法としては、図１や図３に示すように、端末保持部７０に携帯情報端末５を保持させ、携帯情報端末保持具１を腕Ａ（手首Ｗ）に装着させる。伸延部２０を伸ばした状態では、図１に示すように、携帯情報端末５（端末保持部７０）が、手のひらＨ又は手の甲に位置する。また、伸延部２０を縮めた状態では、図３に示すように、携帯情報端末５（端末保持部７０）が、腕Ａ（手首Ｗ）に位置する。尚、ロック機構や係止機構を操作すれば、所望の位置に携帯情報端末５を移動させることができる。
【００４６】
また、携帯情報端末５（端末保持部７０）の向きに関しては、先端部材４０自体を回転させたり、ボールキャップ５４を回転可能にすることで、端末保持部７０が、伸延部２０の延伸軸と同軸方向で伸延部２０に旋回自在に設けられていることになり、携帯情報端末５を、伸延部２０の延伸軸に対して旋回させて使用することが可能である。
【００４７】
また、端末保持部７０と延伸部２０の先端部材４０との接続が、球形のスライダボール７６をボールキャップ５４で遊嵌する形態をとっているため、端末保持部７０が、伸延部２０に揺動自在に設けられていることになり、携帯情報端末５を、任意の方向に揺動させて使用することが可能である。また、球形のスライダボール７６をボールキャップ５４で遊嵌する形態をとっているため、端末保持部７０が、伸延部２０の延伸軸に略垂直な回転軸で伸延部２０に回動自在に設けられていることになり、図１３や図１４に示すように、携帯情報端末５を、伸延部２０の延伸軸に略垂直な回転軸で旋回させて使用することが可能である。
【００４８】
尚、伸延部２０のハウジング２２の先端開口２２ａには、先端方向に開口する略Ｕ字状の切欠部２２ｊが穿設されており、伸延部２０が短くなっている状態では、スライダボール７６のスライダ７４と繋がる首の部分が、この切欠部２２ｊに納まる形状になっている。このため、伸延部２０を縮めた状態で、携帯情報端末５が手首Ｗや腕Ａの方にあるときには、携帯情報端末５を伸延部２０の延伸軸に対して旋回することを抑止できる。しかしながら、切欠部２２ｊを設けず、伸延部２０を縮めた状態で、携帯情報端末５を伸延部２０の延伸軸に対して旋回可能にするようにしてもよい。
【００４９】
このような本願の携帯情報端末保持具１によれば、携帯情報端末５を使用するときは操作し易い任意の位置に固定でき、携帯情報端末５を使用しないときは上腕側（手首Ｗ、腕Ａ側）で固定でき手を自由に使用することができ、携帯情報端末５を片手でも操作しやすくすることができる。
【産業上の利用可能性】
【００５０】
以上のように、本発明によれば、携帯情報端末を使用するときは操作し易い任意の位置に固定でき、携帯情報端末を使用しないときは上腕側で固定でき手を自由に使用することができ、携帯情報端末を片手でも操作しやすくすることができる携帯情報端末保持具を提供することができる。
【符号の説明】
【００５１】
１・・・・・携帯情報端末保持具
５・・・・・携帯情報端末
１０・・・・腕装着部
１２・・・・リスト装着部
１２ａ・・・接続部
１４・・・・アーム装着部
１４ａ・・・接続部
２０・・・・伸延部
２２・・・・ハウジング
２２ａ・・・先端開口
２２ｂ・・・後端開口
２２ｃ・・・外周
２２ｄ・・・内周
２２ｅ・・・側面スリット
２２ｇ・・・接続部
２２ｈ・・・接続部
２２ｊ・・・切欠部
２２ｋ・・・係止突起
２６・・・・後端キャップ
２６ａ・・・誘導棒
２８・・・・スプリング
３０・・・・シリンダ
３０ａ・・・先端部
３０ｂ・・・後端部
３０ｃ・・・外周
３０ｄ・・・内周
４０・・・・先端部材
４０ａ・・・先端部
４０ｂ・・・後端部
４０ｃ・・・外周
４２・・・・ピストン
４４・・・・スプリング
５０・・・・先端部材キャップ
５２・・・・回転ストッパ
５４・・・・ボールキャップ
５６・・・・キャップ
５８・・・・スプリング
６０・・・・ストップレバー
６０ａ・・・レバー部
６０ｂ・・・軸ホールド部
６２・・・・スライドストッパ
６２ａ・・・軸部
７０・・・・端末保持部
７２・・・・保持プレート
７２ａ・・・裏面
７２ｂ・・・外周突起
７２ｃ・・・プッシュストッパカバー
７２ｄ・・・プッシュストッパカバー
７４・・・・スライダ
７４ａ・・・嵌合凹凸
７４ｂ・・・嵌合凹凸
７６・・・・スライダボール
８０・・・・プッシュストッパ
８０ａ・・・プッシュ部
８０ｂ・・・係止凹凸
８２・・・・バネ材
８４・・・・プッシュストッパ
８４ａ・・・プッシュ部
８４ｂ・・・係止凹凸
【図１】
2018014612.tif 000003
【図２】
2018014612.tif 000004
【図３】
2018014612.tif 000005
【図４】
2018014612.tif 000006
【図５】
2018014612.tif 000007
【図６】
2018014612.tif 000008
【図７】
2018014612.tif 000009
【図８】
2018014612.tif 000010
【図９】
2018014612.tif 000011
【図１０】
2018014612.tif 000012
【図１１】
2018014612.tif 000013
【図１２】
2018014612.tif 000014
【図１３】
2018014612.tif 000015
【図１４】
2018014612.tif 000016
【図１５】
2018014612.tif 000017